(57)【要約】【課題】  異種金属の組み合わせで、複数の方向において応力緩和機能を備えたバスバー及びそれを用いた電池モジュールを提供する。【解決手段】本発明に記載の電池モジュールは、複数の電池セル（１）と、複数の電池セル（１）を互いに接続するバスバー（４）と、を有し、バスバー（４）は第一の金属糸（５）と第二の金属糸（６）を編み込んだ構造となっており、バスバー（４）の一方側の端部（４ａ）が第一の金属で、他方の端部（４ｃ）が第二の金属で構成され、一方側の端部（４ａ）と他方側の端部（４ｃ）の間には、第一の金属糸（５）と第二の金属糸（６）が混在して編み込まれる部分（４ｂ）を有する。【選択図】  図２
2019008892.tif 000002
【特許請求の範囲】
【請求項１】
複数の電池セルと、前記複数の電池セルを互いに接続するバスバーと、を有する電池モジュールにおいて、
前記バスバーは第一の金属糸と第二の金属糸を編み込んだ構造となっており、
前記バスバーの一方側の端部が第一の金属で、他方の端部が第二の金属で構成され、
前記一方側の端部と前記他方側の端部の間には、前記第一の金属糸と第二の金属糸が混在して編み込まれる部分を有することを特徴とする電池モジュール。
【請求項２】
請求項１に記載の電池モジュールにおいて、
前記第一の金属糸はアルミを主材料とする材料であり、
前記第二の金属糸は銅を主材料とする材料であることを特徴とする電池モジュール。
【請求項３】
請求項２に記載の電池モジュールにおいて、
前記第一の金属糸と前記第二の金属糸が混在して編み込まれる部分は、前記一方側の端部に寄っていることを特徴とする電池モジュール。
【請求項４】
請求項１乃至３の何れかに記載の電池モジュールにおいて、
前記バスバーは、前記電池セルの負極端子から突出する突出部を有し、
前記突出部は前記第二の金属であり、電圧検出線が接続されることを特徴とする電池モジュール。
【請求項５】
第一の金属糸と、第二の金属糸からなるバスバーにおいて、
当該バスバーは、前記第一の金属糸と第二の金属糸が編み込まれており、当該バスバーの一方側の端部が第一の金属糸で、他方の端部が第二の金属糸で構成されることを特徴とするバスバー。
【発明の詳細な説明】
【技術分野】
【０００１】
本発明は、複数の電池セルを電気接続するバスバー及びそれを用いた電池モジュールに関する。
【背景技術】
【０００２】
応力緩和機能を備えたバスバーが特許文献１に記載されている。この特許文献１には、「調整部は、上方向に変形し屈曲している上側屈曲部と、下方向に変形し屈曲している下側屈曲部とを交互に複数備える。」と記載されている。
【先行技術文献】
【特許文献】
【０００３】
【特許文献１】特開２０１５−１０７０４６号公報
【発明の概要】
【発明が解決しようとする課題】
【０００４】
特許文献１には、応力緩和機能を備えたバスバーが記載されている。しかし、特許文献１に記載されたバスバーは、特定方向の応力緩和に限られる。
【０００５】
このため、特定方向以外での応力緩和が困難である。また、上下に屈曲した形状を設けているため、高さ寸法を大きくする必要がある。
さらに、異種金属を接合した材料を使用する際に異種金属間の接合部が屈曲形状部と重なった場合、強度の低下が懸念される。
【０００６】
本発明の目的は、異種金属の組み合わせで、複数の方向において応力緩和機能を備えたバスバーを提供することにある。
【課題を解決するための手段】
【０００７】
上記課題を解決するために、本発明に記載の電池モジュールは、複数の電池セル（１）と、複数の電池セル（１）を互いに接続するバスバー（４）と、を有し、バスバー（４）は第一の金属糸（５）と第二の金属糸（６）を編み込んだ構造となっており、バスバー（４）の一方側の端部（４ａ）が第一の金属で、他方の端部（４ｃ）が第二の金属で構成され、一方側の端部（４ａ）と他方側の端部（４ｃ）の間には、第一の金属糸（５）と第二の金属糸（６）が混在して編み込まれる部分（４ｂ）を有する。
【発明の効果】
【０００８】
本発明によれば、異種金属を組合せた構成において電池セルへの接続時及び、使用時に加わる応力を減少させるバスバーを提供することができる。
【図面の簡単な説明】
【０００９】
【図１】本発明が搭載された電池モジュールの概略図。
【図２】（ａ）は本発明の第１の実施形態に係る編み込みバスバーの斜視図であり、（ｂ）は（ａ）のバスバーの上面図。
【図３】本発明の第２の実施形態に係る編み込みバスバーの平面図。
【発明を実施するための形態】
【００１０】
以下、実施例と図面を用いて説明する。
【００１１】
《実施例１》
図１は、複数の電池セル１を有する電池モジュール１００を示した図である。複数の電池セル１は、それぞれ互いに積層されて１方向（前後方向）に並んでいる。なお、上下左右前後の方向は各図の左下の記載に従うものとする。
【００１２】
一つの電池セル１の正極端子２ともう一つの電池セル１の負極端子３をバスバー４によって電気接続されている。この電池セル１が複数個並べられ、互いにバスバー４で接続されたものが枠体１０の中に収納され、電池モジュール１００となる。本発明の特徴はこのバスバー４にある。
【００１３】
図２（ａ）は本発明のバスバー４の斜視図、図２（ｂ）バスバー４を上面から見た図である。図２（ａ）に示すように本発明に係るバスバー４の構造は、第一の金属糸５と第二の金属糸６を編み込んだ構造となっており、一方側の端部が第の一金属糸５で、他方の端部が第二の金属糸６で構成されている。
【００１４】
本実施形態では、第一の金属糸５と第二の金属糸６が混在して編みこまれる部分は、中央に位置し、ちょうど第一の金属糸５の領域４ａ、第二の金属糸６の領域４ｃ、第一の金属糸５と第二の金属糸６の混在領域４ｂが等分される構成になっている。  本実施例のように第一の金属糸５と第二の金属糸６とでバスバー４を構成することにより、電池セルの正極端子２と負極端子３が異種金属の場合にそれぞれ電池セル端子の金属と同一金属にすることで、接続時の溶接が容易であり、溶接強度を確保することが可能となる。また、本実施例のように金属糸を使用しているため、バスバー４自体が柔軟性を有しており、上下左右前後方向にそれぞれ柔軟性を有するものとなっている。  電池モジュール１００では、電池セル１等の部品及び組立時のバラつきで、接続する二つの電池セル１間の端子高さの段差が大きくなったり、バスバー４を押さえつけて接続することになるため、応力が加わった状態で接続される。そのため、本発明のようにバスバー４を金属糸で構成することによって、電池セル１間に発生する様々な方向（上下左右前後方向）のばらつきをバスバー４で吸収することができる。また本発明は上述したように異種金属を組み合わせた際に特に効果を発揮するものである。異種金属同士を接合したバスバーは、そのバスバー内に必ず異種金属同士の接合部を有する。この異種金属同士の接合部は応力に弱く、たとえいずれかの方向の応力による破断に対応したとしても、ひとつは破断に弱い方向が発生してしまう。そのため本発明のバスバー４を使用することによって、いずれの方向から応力がかかろうともバスバー４の破損を防ぐことができる。
【００１５】
なお、特にばらつきとして発生しやすいのは上下方向のばらつきだが、使用環境による外力により、電池セル１の端子の高さ方向以外の方向にも応力が加わることになる。本発明のバスバー４では、線状の金属を編み込んだ構成で、複数の方向への応力緩和機能を有するため、バスバー４に加わる応力を軽減することができる。また、本発明では正極端子２としてアルミを主材料とする金属、負極端子３として銅を主材料とする金属を使用しており、その場合には第一の金属糸５は正極端子２と同一材料（アルミを主材料とする材料）、第二の金属糸６は負極端子３と同一材料（銅を主材料とする材料）を使用することとなる。
【００１６】
なお、本実施形態では図示しないが、第二の金属糸６側の端部は負極端子３から突出し、その部分に電圧検出線が接続されることが好ましい。このような構成にすることによって、突出部での電圧検出線の接続が容易になり、またバスバー４の銅側を使用することによって、抵抗を下げることができ精度の高い電圧検出が可能となる。
【００１７】
以上、簡単に本発明についてまとめる。
【００１８】
本発明に記載の電池モジュールは、複数の電池セル（１）と、複数の電池セル（１）を互いに接続するバスバー（４）と、を有し、バスバー（４）は第一の金属糸（５）と第二の金属糸（６）を編み込んだ構造となっており、バスバー（４）の一方側の端部（４ａ）が第一の金属で、他方の端部（４ｃ）が第二の金属で構成され、一方側の端部（４ａ）と他方側の端部（４ｃ）の間には、第一の金属糸（５）と第二の金属糸（６）が混在して編み込まれる部分（４ｂ）を有する。このような構造にすることによって、異種金属変換することが可能なバスバー４で複数の方向への応力緩和することができ、バスバー４の接続部に係る応力を低減した電池モジュール１００を提供することができる。
【００１９】
また、本発明に記載の電池モジュールは、第一の金属糸（５）はアルミを主材料とする材料であり、第二の金属糸（６）は銅を主材料とする材料である。
【００２０】
また、本発明に記載の電池モジュールは、バスバー（４）が、電池セル（１）の負極端子（３）から突出する突出部を有し、突出部は第二の金属（６）であり、電圧検出線が接続される。このような構造にすることによって、電圧検出線をバスバー４に接続しやすくし、また抵抗の低い側で電圧検出線を接続することができ精度の高い電圧検出を可能としている。
【００２１】
また、本発明に記載のバスバー（４）は、第一の金属糸（５）と、第二の金属糸（６）からなるバスバー（４）において、バスバー（４）が、第一の金属糸（５）と第二の金属糸（６）が編み込まれており、バスバー（４）の一方側の端部（４ａ）が第一の金属糸（５）で、他方の端部（４ｃ）が第二の金属糸（６）で構成される。
【００２２】
《実施例２》
続いて第二の実施例について説明する。本実施例が第一の実施例と異なる点は、第一の金属糸５と第二の金属糸６が混在して編み込まれる部分４ｂが一方側の端部４ａに寄っている点である。なお、第一の実施例と同じ構成については第一の実施例で使用した図面番号と同じ番号を用いている。
【００２３】
図３は、第２の実施例のバスバー４０を示す図である。第１の実施例では、第一の金属糸５と第二の金属糸６が混在して編み込まれる部分が中央に位置していたが、第２の実施例では、二つの金属が混在して編み込まれる部分が一方向側の端部（本実施例では第一の金属糸５側）に寄っている点が第１の実施例と比較した場合の変更点である。
【００２４】
第一の金属糸５と第二の金属糸６が混在して編み込まれる部分は一方向側の端部に寄っており、他方の端部である第二の金属６は銅で構成される。このような構成にすることによって応力を吸収する中央部分をバネ性の高い銅とすることができ、より応力緩和機能を向上させることができる。
【００２５】
以上、本発明について簡単にまとめる。
【００２６】
本発明に記載の電池モジュール１００に用いるバスバー４０は、アルミを主材料とする第一の金属糸（５）と銅を主材料とする第二の金属糸（６）が混在して編み込まれる部分は、一方側の端部（４ａ）に寄っている。このような構成にすることによって、応力を吸収する中央部分をバネ性の高い銅とすることができ、より応力緩和機能を向上させることができる。
【００２７】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００２８】
１…電池セル
２…正極端子
３…負極端子
４…バスバー
５…第一の金属糸
６…第二の金属糸
【図１】
2019008892.tif 000003
【図２】
2019008892.tif 000004
【図３】
2019008892.tif 000005